【手続補正書】
【提出日】平成27年6月15日(2015.6.15)
【手続補正１】
【補正対象書類名】特許請求の範囲
【補正対象項目名】全文
【補正方法】変更
【補正の内容】
【特許請求の範囲】
【請求項１】
撮像手段によって撮影され、リフォーカス画像を生成可能な画像データを記録するための画像記録装置であって、
前記リフォーカス画像を生成可能な画像データおよび前記画像データの撮影情報を取得する取得手段と、
前記取得手段によって取得された前記撮影情報に基づいて、前記画像データに含まれる被写体に合焦する前記リフォーカス画像の生成に使用するパラメーターを生成するパラメーター生成手段と、
前記取得手段によって取得された前記画像データとともに、前記パラメーター生成手段によって生成された前記パラメーターを前記画像データのメタデータとして記録媒体に記録する記録手段と
を備えることを特徴とする画像記録装置。
【請求項２】
前記撮影情報は、絞り値および前記画像データのデフォーカスマップであり、
前記パラメーター生成手段は、前記デフォーカスマップに基づいて、前記取得手段によって取得された前記画像データを前記被写体に合焦する前記リフォーカス画像に変換する変換マトリクスを前記パラメーターとして生成することを特徴とする請求項１に記載の画像記録装置。
【請求項３】
前記撮影情報は、絞り値および前記画像データのデフォーカスマップであり、
前記パラメーター生成手段は、前記デフォーカスマップに基づいて、前記画像データに含まれる前記被写体のデフォーカス量を表わす前記パラメーターを生成することを特徴とする請求項１に記載の画像記録装置。
【請求項４】
前記パラメーター生成手段は、前記デフォーカスマップに基づいて前記画像データに含まれる前記被写体を検出する被写体検出手段を有し、
前記被写体検出手段が複数の前記被写体を検出したときは、前記パラメーター生成手段は、前記デフォーカスマップに基づいて、前記取得手段によって取得された前記画像データを前記複数の被写体の各々の前記リフォーカス画像に変換する前記変換マトリクスを前記複数の被写体の各々に関連付けて前記パラメーターとして生成することを特徴とする請求項２に記載の画像記録装置。
【請求項５】
前記パラメーター生成手段は、前記デフォーカスマップに基づいて前記被写体を検出する被写体検出手段を有し、
前記被写体検出手段が複数の前記被写体を検出したときは、前記パラメーター生成手段は、前記デフォーカスマップに基づいて、前記画像データに含まれる前記複数の被写体の各々の前記デフォーカス量を表わす前記パラメーターを前記複数の被写体の各々に関連付けて生成することを特徴とする請求項３に記載の画像記録装置。
【請求項６】
前記記録手段は、前記複数の被写体に優先順位を付ける優先順位手段を有し、前記優先順位に従って前記パラメーター生成手段によって生成された前記パラメーターを前記メタデータとして記録することを特徴とする請求項４または５に記載の画像記録装置。
【請求項７】
前記優先順位手段は、前記画像データから顔を検出する顔検出手段を有し、前記顔が検出された場合には、前記顔検出手段によって検出された前記顔を含む前記被写体に第１位の前記優先順位を与えることを特徴とする請求項６に記載の画像記録装置。
【請求項８】
前記デフォーカスマップは、前記画像データに含まれる各被写体が合焦する奥行き方向の位置に対応する分布情報であることを特徴とする請求項３乃至７のいずれか１項に記載の画像記録装置。
【請求項９】
前記デフォーカスマップは、前記画像データのうち対となる信号データの位相差に基づいて算出されるデフォーカス量の分布情報であることを特徴とする請求項８に記載の画像記録装置。
【請求項１０】
前記リフォーカス画像は、前記画像データの撮影時の焦点位置とは異なる焦点位置を含む複数の焦点位置のいずれかに合焦する画像であることを特徴とする請求項１乃至９のいずれか１項に記載の画像記録装置。
【請求項１１】
前記パラメーターは、前記画像データの各画素信号を合成する際に用いられる、前記リフォーカス画像の焦点位置に対応する情報であることを特徴とする請求項１乃至１０のいずれか１項に記載の画像記録装置。
【請求項１２】
前記パラメーターは、前記画像データの各画素信号の値に乗算される変換マトリクスに対応する情報であることを特徴とする請求項１乃至１１のいずれか１項に記載の画像記録装置。
【請求項１３】
前記リフォーカス画像を生成可能な前記画像データは、複数の画素信号と、該複数の画素信号の得られる画素に入射された光線の角度情報とを含むデータであることを特徴とする請求項１乃至１２のいずれか１項に記載の画像記録装置。
【請求項１４】
請求項１乃至１３のいずれか１項に記載の画像記録装置で記録された前記画像データを再生する画像再生装置であって、
前記記録手段によって記録された前記画像データと前記パラメーターとを前記記録媒体から読み出す読み出し手段と、
前記読み出し手段によって読み出された前記パラメーターを使用して、前記読み出し手段によって読み出された前記画像データから前記リフォーカス画像を生成するリフォーカス画像生成手段と、
前記リフォーカス画像生成手段によって生成された前記リフォーカス画像を編集指示に従って編集し、前記編集指示に従って編集された前記リフォーカス画像の前記パラメーターを編集する編集手段と
を備えることを特徴とする画像再生装置。
【請求項１５】
前記編集手段は、リフォーカス位置および絞り値の変更を指示する指示手段を有し、
前記リフォーカス画像生成手段は、前記指示手段で指示された前記パラメーターの変更に基づいて前記リフォーカス画像を生成することを特徴とする請求項１４に記載の画像再生装置。
【請求項１６】
前記リフォーカス画像生成手段で生成された前記リフォーカス画像および前記指示手段を表示する表示手段を有し、
前記読み出し手段によって読み出された前記パラメーターが複数あるときは、前記リフォーカス画像生成手段は、各々の前記パラメーターを使用して複数の前記リフォーカス画像を生成し、
前記表示手段は、前記読み出し手段によって読み出された前記複数のパラメーターの優先順位に従って前記リフォーカス画像生成手段によって生成された前記複数のリフォーカス画像を表示することを特徴とする請求項１５に記載の画像再生装置。
【請求項１７】
前記表示手段は、前記指示手段で指示された前記パラメーターの変更に基づいて編集された前記リフォーカス画像を前記指示手段とともに表示することを特徴とする請求項１６に記載の画像再生装置。
【請求項１８】
前記編集手段は、前記表示手段で表示された前記リフォーカス画像の入れ替え又は削除を行なう手段を有し、前記入れ替え又は前記削除を行なったときは、編集された前記リフォーカス画像に対応する前記パラメーターの前記優先順位を前記入れ替え又は前記削除に応じて変更することを特徴とする請求項１６または１７に記載の画像再生装置。
【請求項１９】
前記記録手段は、前記編集手段により編集された前記パラメーターを前記読み出し手段により読み出された前記画像データの前記メタデータとして記録し、
前記記録手段は、前記編集手段により編集された前記画像データの前記パラメーターに優先順位を設定する優先順位設定手段を有し、
前記編集手段により編集された前記画像データおよび前記パラメーターを前記優先順位設定手段で設定された前記優先順位に従って記録するとともに、前記記録手段に記録されている他のパラメーターの優先順位を前記設定に応じて変更することを特徴とする請求項１４乃至１８のいずれか１項に記載の画像再生装置。
【請求項２０】
前記撮像手段と、
請求項１乃至１３のいずれか１項に記載の画像記録装置と、
請求項１４乃至１９のいずれか１項に記載の画像再生装置と、
前記撮像手段による撮影を制御する制御手段と
を備えることを特徴とする撮像装置。
【請求項２１】
前記撮像手段は、
複数の光電変換素子と、
撮影レンズと前記光電変換素子との間に配置され、所定の数の前記光電変換素子の配列に対して１つが対応する複数のマイクロレンズのアレイと
を有することを特徴とする請求項１乃至１３のいずれか１項に記載の画像記録装置。
【請求項２２】
リフォーカス画像を生成可能な画像データを記録媒体に記録するための画像記録方法であって、
前記リフォーカス画像を生成可能な前記画像データおよび前記画像データの撮影情報を取得する取得ステップと、
前記取得ステップで取得された前記撮影情報に基づいて、前記画像データに含まれる被写体に合焦する前記リフォーカス画像の生成に使用するパラメーターを生成するパラメーター生成ステップと、
前記取得ステップで取得された前記画像データとともに、前記パラメーター生成ステップで生成された前記パラメーターを前記画像データのメタデータとして記録手段により前記記録媒体に記録する記録ステップと
を備えることを特徴とする画像記録方法。
【請求項２３】
請求項２２に記載の画像記録方法によって前記記録媒体に記録された前記画像データを再生する画像再生方法であって、
前記記録媒体に記録された前記画像データと前記パラメーターとを前記記録媒体から読み出すステップと、
前記記録媒体から読み出された前記パラメーターを使用して、前記記録媒体から読み出された前記画像データから前記リフォーカス画像を生成するリフォーカス画像生成ステップと、
前記リフォーカス画像生成ステップで生成された前記リフォーカス画像を、指示手段による編集指示に従って編集し、前記編集指示に従って編集された前記リフォーカス画像の前記パラメーターを編集する編集ステップと
を備えることを特徴とする画像再生方法。
【請求項２４】
リフォーカス画像を生成可能な画像データを記録するための画像記録装置を制御するプログラムであって、
コンピュータを、
前記リフォーカス画像を生成可能な画像データおよび前記画像データの撮影情報を取得する取得手段、
前記取得手段によって取得された前記撮影情報に基づいて、前記画像データに含まれる被写体に合焦する前記リフォーカス画像の生成に使用するパラメーターを生成するパラメーター生成手段、および、
前記取得手段によって取得された前記画像データとともに、前記パラメーター生成手段によって生成された前記パラメーターを前記画像データのメタデータとして記録媒体に記録する記録手段
として機能させるプログラム。
【請求項２５】
請求項２４に記載のプログラムを記録したコンピュータが読み取り可能な記録媒体。
【請求項２６】
コンピュータを、請求項１乃至１３のいずれか１項に記載された画像記録装置の各手段として機能させるプログラム。
【請求項２７】
コンピュータを、請求項１乃至１３のいずれか１項に記載された画像記録装置の各手段として機能させるプログラムを格納した記録媒体。
【請求項２８】
リフォーカス画像を生成可能な画像データを記録するための画像記録装置であって、前記リフォーカス画像を生成可能な前記画像データおよび前記画像データの撮影情報を取得する取得手段と、前記取得手段によって取得された前記撮影情報に基づいて、前記画像データに含まれる被写体に合焦する前記リフォーカス画像の生成に使用するパラメーターを生成するパラメーター生成手段と、前記取得手段によって取得された前記画像データとともに、前記パラメーター生成手段によって生成された前記パラメーターを前記画像データのメタデータとして記録媒体に記録する記録手段とを備える画像記録装置で記録された前記画像データを再生する画像再生装置を制御するプログラムであって、
コンピュータを、
前記記録媒体に記録された前記画像データと前記パラメーターとを前記記録媒体から読み出す読み出し手段と、
前記記録媒体から読み出された前記パラメーターを使用して、前記記録媒体から読み出された前記画像データから前記リフォーカス画像を生成するリフォーカス画像生成手段、および、
前記リフォーカス画像生成手段により生成された前記リフォーカス画像を編集指示に従って編集し、前記編集指示に従って編集された前記リフォーカス画像の前記パラメーターを編集する編集手段
として機能させるプログラム。
【請求項２９】
請求項２８に記載のプログラムを記録したコンピュータが読み取り可能な記録媒体。
【請求項３０】
コンピュータを、請求項１４乃至１９のいずれか１項に記載された画像再生装置の各手段として機能させるプログラム。
【請求項３１】
コンピュータを、請求項１４乃至１９のいずれか１項に記載された画像再生装置の各手段として機能させるプログラムを格納した記録媒体。
【請求項３２】
複数のマイクロレンズの各々に対して所定の数の画素が配列されている撮像素子から出力されるデータと、前記データの撮影情報とを取得する取得手段と、
前記取得手段によって取得された前記撮影情報に基づいて、前記画素からの信号を合成することで前記データに含まれる被写体に合焦する画像データを前記データから生成する際に使用されるパラメーターを生成するパラメーター生成手段と、
前記取得手段によって取得された前記データとともに、前記パラメーター生成手段によって生成された前記パラメーターを前記データのメタデータとして記録媒体に記録する記録手段と
を備えることを特徴とする画像記録装置。
【請求項３３】
画像データを生成可能なデータを記録媒体に記録するための画像記録方法であって、
複数のマイクロレンズの各々に対して所定の数の画素が配列されている撮像素子から出力されるデータと、前記データの撮影情報とを取得する取得ステップと、
前記取得ステップで取得された前記撮影情報に基づいて、前記画素からの信号を合成することで前記データに含まれる被写体に合焦する画像データを前記データから生成する際に使用するパラメーターを生成するパラメーター生成ステップと、
前記取得ステップで取得された前記データとともに、前記パラメーター生成ステップで生成された前記パラメーターを前記データのメタデータとして記録媒体に記録する記録ステップと
を備えることを特徴とする画像記録方法。
【請求項３４】
コンピュータを、請求項３２に記載された画像記録装置の各手段として機能させるプログラム。
【請求項３５】
コンピュータを、請求項３２に記載された画像記録装置の各手段として機能させるプログラムを格納した記録媒体。